(57)【要約】【課題】ＩＰ電話網において相互接続される通信事業者ごとにインタフェースを開発することを回避し、低コストかつ効率的な多数事業者の通信網と相互接続することが可能なＩＰ電話網における加入者サーバを提供する。【解決手段】電話端末１０と、ＩＰ変換装置２０と、加入者サーバ３０と、ゲートウェイ装置５０と、を備えるＩＰ電話網１における加入者サーバ３０は、発呼信号を取得し、発呼信号に含まれるダイヤル番号情報を抽出し、ダイヤル番号情報に基づいてダイヤル番号データベースを参照することによって、抽出されたダイヤル番号情報に対応するプログラムＩＤを検索し、検索されたプログラムＩＤに対応するプログラムを起動し、起動されたプログラムによって、発呼信号に必要なパラメータの設定を行い、パラメータの設定が行われた発呼信号をゲートウェイ装置５０へ送信する。【選択図】図１
2011254244.tif 000002
【特許請求の範囲】
【請求項１】
複数の電話端末と、当該複数の電話端末と通信可能に接続されたＩＰ変換装置と、前記ＩＰ変換装置と通信可能に接続された加入者サーバと、前記加入者サーバと他社の通信網とを通信可能に接続するゲートウェイ装置と、を備えるＩＰ電話網における加入者サーバであって、
前記電話端末から発信された発呼信号に必要なパラメータの設定を行うプログラムがダイヤル番号情報の種類ごとに記憶されるプログラム記憶部と、
前記発呼信号に含まれるダイヤル番号情報と、当該ダイヤル番号情報に対応する前記プログラムのプログラムＩＤと、が関連付けて記憶されたダイヤル番号データベースと、
を備え、
前記電話端末から発信された発呼信号を前記ＩＰ変換装置を介して取得し、取得された前記発呼信号に含まれるダイヤル番号情報を抽出し、
抽出された前記ダイヤル番号情報に基づいて前記ダイヤル番号データベースを参照することによって、抽出された前記ダイヤル番号情報に対応するプログラムＩＤを検索し、
検索された前記プログラムＩＤに対応する前記プログラムを起動し、
起動された前記プログラムによって、前記発呼信号に必要なパラメータの設定を行い、パラメータの設定が行われた前記発呼信号を前記ゲートウェイ装置へ送信する
ことを特徴とするＩＰ電話網における加入者サーバ。
【請求項２】
複数の電話端末と、当該複数の電話端末と通信可能に接続されたＩＰ変換装置と、前記ＩＰ変換装置と通信可能に接続された加入者サーバと、前記加入者サーバと他社の通信網とを通信可能に接続するゲートウェイ装置と、を備えるＩＰ電話網におけるゲートウェイ装置であって、
前記電話端末から送信された発呼信号に必要なパラメータの設定を行うプログラムがダイヤル番号情報の種類ごとに記憶されるプログラム記憶部と、
前記発呼信号に含まれるダイヤル番号情報と、当該ダイヤル番号情報に対応する前記プログラムのプログラムＩＤと、が関連付けて記憶されたダイヤル番号データベースと、
を備え、
前記電話端末から送信された前記発呼信号を取得し、取得された前記発呼信号に含まれるダイヤル番号情報を抽出し、
抽出された前記ダイヤル番号情報に基づいて前記ダイヤル番号データベースを参照することによって、抽出された前記ダイヤル番号情報に対応するプログラムＩＤを検索し、
検索された前記プログラムＩＤに対応する前記プログラムを起動し、
起動された前記プログラムによって、前記発呼信号に必要なパラメータの設定を行い、パラメータの設定が行われた前記発呼信号を前記他社の通信網へ送信する
ことを特徴とするＩＰ電話網におけるゲートウェイ装置。
【請求項３】
複数の電話端末と、当該複数の電話端末と通信可能に接続されたＩＰ変換装置と、前記ＩＰ変換装置と通信可能に接続された加入者サーバと、前記加入者サーバと他社の通信網とを通信可能に接続するゲートウェイ装置と、を備えるＩＰ電話網におけるゲートウェイ装置であって、
前記加入者サーバから送信された発呼信号に必要なパラメータの設定を行うプログラムがダイヤル番号情報の種類ごとに記憶されるプログラム記憶部と、
前記他社の通信網の通信網ＩＤと、事業形態と、前記プログラムのプログラムＩＤと、が関連付けて記憶された事業形態データベースと、
前記事業形態と、ダイヤル番号情報と、プログラムの起動可否と、が関連付けて記憶された第一のプログラム起動可否データベースと、
を備え、
前記他社の通信網から送信された発呼信号を取得し、前記発呼信号の取得によって通信網ＩＤを特定し、
特定された前記通信網ＩＤに基づいて前記事業形態データベースを参照することによって、特定された前記通信網ＩＤに対応する事業者ＩＤ及びプログラムＩＤを検索し、
検索された前記事業形態、及び、前記発呼信号に含まれるダイヤル番号情報に基づいて前記第一のプログラム起動可否データベースを参照することによって、前記事業形態及び前記ダイヤル番号情報に対応するプログラムの起動可否を検索し、
検索された前記プログラムの起動可否が起動可を示すものである場合に、検索された前記プログラムＩＤに対応する前記プログラムを起動し、
起動された前記プログラムによって、前記発呼信号に必要なパラメータの設定を行い、パラメータの設定が行われた前記発呼信号を前記加入者サーバへ送信する
ことを特徴とするＩＰ電話網におけるゲートウェイ装置。
【請求項４】
前記事業形態データベースには、さらに事業者ＩＤが前記通信網ＩＤと関連付けて記憶されており、
前記ゲートウェイ装置は、
前記事業形態ごとに、前記事業者ＩＤと、ダイヤル番号情報と、プログラムの起動可否と、が関連付けられた第二のプログラム起動可否データベースをさらに備え、
前記事業形態及び前記プログラムＩＤに加えて前記事業者ＩＤを検索し、
前記第一のプログラム起動可否データベースにおいて検索された前記プログラムの起動可否が再検索を示すものである場合に、検索された前記事業者ＩＤ、及び、前記発呼信号に含まれるダイヤル番号情報に基づいて前記第二のプログラム起動可否データベースを参照することによって、前記事業者ＩＤ及び前記ダイヤル番号情報に対応するプログラムの起動可否を検索する
ことを特徴とする請求項３に記載のＩＰ電話網におけるゲートウェイ装置。
【請求項５】
複数の電話端末と、当該複数の電話端末と通信可能に接続されたＩＰ変換装置と、前記ＩＰ変換装置と通信可能に接続された加入者サーバと、前記加入者サーバと他社の通信網とを通信可能に接続するゲートウェイ装置と、を備えるＩＰ電話網における加入者サーバによる通信方法であって、
前記加入者サーバは、
前記電話端末から発信された発呼信号に必要なパラメータの設定を行うプログラムがダイヤル番号情報の種類ごとに記憶されるプログラム記憶部と、
前記発呼信号に含まれるダイヤル番号情報と、当該ダイヤル番号情報に対応する前記プログラムのプログラムＩＤと、が関連付けて記憶されたダイヤル番号データベースと、
を備えており、
前記加入者サーバが、前記電話端末から発信された発呼信号を前記ＩＰ変換装置を介して取得し、取得された前記発呼信号に含まれるダイヤル番号情報を抽出するステップと、
前記加入者サーバが、抽出された前記ダイヤル番号情報に基づいて前記ダイヤル番号データベースを参照することによって、抽出された前記ダイヤル番号情報に対応するプログラムＩＤを検索するステップと、
前記加入者サーバが、検索された前記プログラムＩＤに対応する前記プログラムを起動するステップと、
前記加入者サーバが、起動された前記プログラムによって、前記発呼信号に必要なパラメータの設定を行い、パラメータの設定が行われた前記発呼信号を前記ゲートウェイ装置へ送信するステップと、
を含むことを特徴とするＩＰ電話網における加入者サーバによる通信方法。
【請求項６】
複数の電話端末と、当該複数の電話端末と通信可能に接続されたＩＰ変換装置と、前記ＩＰ変換装置と通信可能に接続された加入者サーバと、前記加入者サーバと他社の通信網とを通信可能に接続するゲートウェイ装置と、を備えるＩＰ電話網におけるゲートウェイ装置による通信方法であって、
前記ゲートウェイ装置は、
前記電話端末から送信された発呼信号に必要なパラメータの設定を行うプログラムがダイヤル番号情報の種類ごとに記憶されるプログラム記憶部と、
前記発呼信号に含まれるダイヤル番号情報と、当該ダイヤル番号情報に対応する前記プログラムのプログラムＩＤと、が関連付けて記憶されたダイヤル番号データベースと、
を備え、
前記ゲートウェイ装置が、前記電話端末から送信された前記発呼信号を取得し、取得された前記発呼信号に含まれるダイヤル番号情報を抽出するステップと、
前記ゲートウェイ装置が、抽出された前記ダイヤル番号情報に基づいて前記ダイヤル番号データベースを参照することによって、抽出された前記ダイヤル番号情報に対応するプログラムＩＤを検索するステップと、
前記ゲートウェイ装置が、検索された前記プログラムＩＤに対応する前記プログラムを起動するステップと、
前記ゲートウェイ装置が、起動された前記プログラムによって、前記発呼信号に必要なパラメータの設定を行い、パラメータの設定が行われた前記発呼信号を前記他社の通信網へ送信するステップと、
を含むことを特徴とするＩＰ電話網におけるゲートウェイ装置による通信方法。
【請求項７】
複数の電話端末と、当該複数の電話端末と通信可能に接続されたＩＰ変換装置と、前記ＩＰ変換装置と通信可能に接続された加入者サーバと、前記加入者サーバと他社の通信網とを通信可能に接続するゲートウェイ装置と、を備えるＩＰ電話網におけるゲートウェイ装置による通信方法であって、
前記ゲートウェイ装置は、
前記加入者サーバから送信された前記発呼信号に必要なパラメータの設定を行うプログラムがダイヤル番号情報の種類ごとに記憶されるプログラム記憶部と、
前記他社の通信網の通信網ＩＤと、事業形態と、前記プログラムのプログラムＩＤと、が関連付けて記憶された事業形態データベースと、
前記事業形態と、ダイヤル番号情報と、プログラムの起動可否と、が関連付けて記憶された第一のプログラム起動可否データベースと、
を備え、
前記ゲートウェイ装置が、前記他社の通信網から送信された発呼信号を取得し、前記発呼信号の取得によって通信網ＩＤを特定する第一ステップと、
前記ゲートウェイ装置が、特定された前記通信網ＩＤに基づいて前記事業形態データベースを参照することによって、特定された前記通信網ＩＤに対応する事業者ＩＤ及びプログラムＩＤを検索する第二ステップと、
前記ゲートウェイ装置が、検索された前記事業形態、及び、前記発呼信号に含まれるダイヤル番号情報に基づいて前記第一のプログラム起動可否データベースを参照することによって、前記事業形態及び前記ダイヤル番号情報に対応するプログラムの起動可否を検索する第三ステップと、
前記ゲートウェイ装置が、検索された前記プログラムの起動可否が起動可を示すものである場合に、検索された前記プログラムＩＤに対応する前記プログラムを起動する第四ステップと、
前記ゲートウェイ装置が、起動された前記プログラムによって、前記発呼信号に必要なパラメータの設定を行い、パラメータの設定が行われた前記発呼信号を前記加入者サーバへ送信する第五ステップと、
を含むことを特徴とするＩＰ電話網におけるゲートウェイ装置による通信方法。
【請求項８】
前記事業形態データベースには、さらに事業者ＩＤが前記通信網ＩＤと関連付けて記憶されており、
前記ゲートウェイ装置は、前記事業形態ごとに、前記事業者ＩＤと、ダイヤル番号情報と、プログラムの起動可否と、が関連付けられた第二のプログラム起動可否データベースをさらに備え、
前記第二ステップにおいて、前記ゲートウェイ装置が、前記事業形態及び前記プログラムＩＤに加えて前記事業者ＩＤを検索し、
前記第三ステップと前記第四ステップとの間に、前記第一のプログラム起動可否データベースにおいて検索された前記プログラムの起動可否が再検索を示すものである場合に、前記ゲートウェイ装置が、検索された前記事業者ＩＤ、及び、前記発呼信号に含まれるダイヤル番号情報に基づいて前記第二のプログラム起動可否データベースを参照することによって、前記事業者ＩＤ及び前記ダイヤル番号情報に対応するプログラムの起動可否を検索するステップを含む
ことを特徴とする請求項７に記載のＩＰ電話網におけるゲートウェイ装置による通信方法。
【発明の詳細な説明】
【技術分野】
【０００１】
本発明は、ＩＰ電話網における加入者サーバ、ゲートウェイ装置、加入者サーバによる通信方法及びゲートウェイ装置による通信方法に関する。
【背景技術】
【０００２】
現在、電話サービスを提供する通信事業者の通信網において、自社の通信網に収容される電話端末と他通信事業者の通信網に収容される電話端末との間の通信を確保すること、及び、自社収容電話端末が任意の国内中継事業者又は国際通信事業者によって提供されるサービスを選択して使用することができること等を目的として、他通信事業者の通信網との相互接続が実施されている。異なる通信事業者の通信網間の相互接続のインタフェース条件については、例えば日本国内ではＴＴＣ（Telecommunication Technology Committee）によって標準化されている（非特許文献１参照）。かかる標準化により、通信事業者は、相互接続される通信事業者ごとに当該標準をベースにした接続呼の種類ごとの受信信号（例えば、発呼信号）のチェック条件、送信信号の設定条件等を協議し、合意された条件に基づいてシステム実装を行い、通信網間の相互接続を実施している。
【０００３】
多数の通信事業者の通信網と相互接続を行う大規模通信事業者の通信網においては、相互接続される通信網の通信事業者ごとにインタフェース条件を協議してシステムを実装するのは設備コストの増加となるため、汎用的な相互接続インタフェースを予め複数種類用意し、いずれかのインターフェースを用いて接続を行うことによって設備コストの増加を抑止している（非特許文献２参照）。
【先行技術文献】
【非特許文献】
【０００４】
【非特許文献１】「相互接続用共通インターフェース」、ＴＴＣ−ＪＪ−９０．１０
【非特許文献２】「相互接続ガイドブック２」、ＮＴＴ東日本、［on line］、［平成２２年５月２０日検索］、インターネット  （http://www.ntt-east.co.jp/info-st/conguide/ntt-e2/guide2.html）
【発明の概要】
【発明が解決しようとする課題】
【０００５】
一方、通信事業者動向としては、ＩＰ（Internet Protocol）電話技術の普及が盛んになっている。その理由の１つとして、従来のＰＳＴＮ網（公衆電話交換回線網）での回線交換方式の場合には通話ごとに１回線を占有するため各回線交換機間ではピーク呼量に耐えうる設備（回線）が必要となり、そのための設備コストがかかること、かつこれら設備（回線）の使用効率が高くないのに対し、ＩＰ電話の場合には全通話の呼制御信号パケット、主信号（音声等）パケットがＩＰ電話網を共用するため、通信事業者にとっては設備コストを削減でき、かつそれによりユーザ料金を低減できるといったメリットがあるからである。しかしながら、現状のＩＰ電話の技術としては自ＩＰ網内での接続や、ＩＰ網とＰＳＴＮ網との相互接続技術は確立されつつあるが、ＰＳＴＮ網で実現しているような汎用的な通信事業者間相互接続インタフェースの実現手法までは確立されていない。
【０００６】
本発明は、前記した事情に鑑みて創案されたものであり、ＩＰ電話網において相互接続される通信事業者ごとにインタフェースを開発することを回避し、低コストかつ効率的な多数事業者の通信網と相互接続することが可能なＩＰ電話網における加入者サーバ、ゲートウェイ装置、加入者サーバによる通信方法及びゲートウェイ装置による通信方法を提供することを課題とする。
【課題を解決するための手段】
【０００７】
前記課題を解決するため、本発明は、複数の電話端末と、当該複数の電話端末と通信可能に接続されたＩＰ変換装置と、前記ＩＰ変換装置と通信可能に接続された加入者サーバと、前記加入者サーバと他社の通信網とを通信可能に接続するゲートウェイ装置と、を備えるＩＰ電話網における加入者サーバであって、前記電話端末から発信された発呼信号に必要なパラメータの設定を行うプログラムがダイヤル番号情報の種類ごとに記憶されるプログラム記憶部と、前記発呼信号に含まれるダイヤル番号情報と、当該ダイヤル番号情報に対応する前記プログラムのプログラムＩＤと、が関連付けて記憶されたダイヤル番号データベースと、を備え、前記電話端末から発信された発呼信号を前記ＩＰ変換装置を介して取得し、取得された前記発呼信号に含まれるダイヤル番号情報を抽出し、抽出された前記ダイヤル番号情報に基づいて前記ダイヤル番号データベースを参照することによって、抽出された前記ダイヤル番号情報に対応するプログラムＩＤを検索し、検索された前記プログラムＩＤに対応する前記プログラムを起動し、起動された前記プログラムによって、前記発呼信号に必要なパラメータの設定を行い、パラメータの設定が行われた前記発呼信号を前記ゲートウェイ装置へ送信することを特徴とする。
【０００８】
かかる構成によると、自網発信の場合において、加入者サーバは、発呼信号に含まれるダイヤル番号情報に基づいてプログラムを選択して起動し、起動されたプログラムによって発呼信号に必要なパラメータの設定を行うので、通信事業者ごとにインタフェースを開発することを回避することが可能となる。
【０００９】
また、本発明は、複数の電話端末と、当該複数の電話端末と通信可能に接続されたＩＰ変換装置と、前記ＩＰ変換装置と通信可能に接続された加入者サーバと、前記加入者サーバと他社の通信網とを通信可能に接続するゲートウェイ装置と、を備えるＩＰ電話網におけるゲートウェイ装置であって、前記電話端末から送信された発呼信号に必要なパラメータの設定を行うプログラムがダイヤル番号情報の種類ごとに記憶されるプログラム記憶部と、前記発呼信号に含まれるダイヤル番号情報と、当該ダイヤル番号情報に対応する前記プログラムのプログラムＩＤと、が関連付けて記憶されたダイヤル番号データベースと、を備え、前記電話端末から送信された前記発呼信号を取得し、取得された前記発呼信号に含まれるダイヤル番号情報を抽出し、抽出された前記ダイヤル番号情報に基づいて前記ダイヤル番号データベースを参照することによって、抽出された前記ダイヤル番号情報に対応するプログラムＩＤを検索し、検索された前記プログラムＩＤに対応する前記プログラムを起動し、起動された前記プログラムによって、前記発呼信号に必要なパラメータの設定を行い、パラメータの設定が行われた前記発呼信号を前記他社の通信網へ送信することを特徴とする。
【００１０】
かかる構成によると、自網発信の場合において、ゲートウェイ装置は、発呼信号に含まれるダイヤル番号情報に基づいてプログラムを選択して起動し、起動されたプログラムによって発呼信号に必要なパラメータの設定を行うので、通信事業者ごとにインタフェースを開発することを回避することが可能となる。
【００１１】
また、本発明は、複数の電話端末と、当該複数の電話端末と通信可能に接続されたＩＰ変換装置と、前記ＩＰ変換装置と通信可能に接続された加入者サーバと、前記加入者サーバと他社の通信網とを通信可能に接続するゲートウェイ装置と、を備えるＩＰ電話網におけるゲートウェイ装置であって、前記加入者サーバから送信された発呼信号に必要なパラメータの設定を行うプログラムがダイヤル番号情報の種類ごとに記憶されるプログラム記憶部と、前記他社の通信網の通信網ＩＤと、事業形態と、前記プログラムのプログラムＩＤと、が関連付けて記憶された事業形態データベースと、前記事業形態と、ダイヤル番号情報と、プログラムの起動可否と、が関連付けて記憶された第一のプログラム起動可否データベースと、を備え、前記他社の通信網から送信された発呼信号を取得し、前記発呼信号の取得によって通信網ＩＤを特定し、特定された前記通信網ＩＤに基づいて前記事業形態データベースを参照することによって、特定された前記通信網ＩＤに対応する事業者ＩＤ及びプログラムＩＤを検索し、検索された前記事業形態、及び、前記発呼信号に含まれるダイヤル番号情報に基づいて前記第一のプログラム起動可否データベースを参照することによって、前記事業形態及び前記ダイヤル番号情報に対応するプログラムの起動可否を検索し、検索された前記プログラムの起動可否が起動可を示すものである場合に、検索された前記プログラムＩＤに対応する前記プログラムを起動し、起動された前記プログラムによって、前記発呼信号に必要なパラメータの設定を行い、パラメータの設定が行われた前記発呼信号を前記加入者サーバへ送信することを特徴とする。
【００１２】
かかる構成によると、他社網発信かつ自網着信の場合において、ゲートウェイ装置は、発呼信号に含まれる通信網ＩＤに基づいてプログラムを選択して起動し、起動されたプログラムによって発呼信号に必要なパラメータの設定を行うので、通信事業者ごとにインタフェースを開発することを回避することが可能となる。
【００１３】
前記事業形態データベースには、さらに事業者ＩＤが前記通信網ＩＤと関連付けて記憶されており、前記ゲートウェイ装置は、前記事業形態ごとに、前記事業者ＩＤと、ダイヤル番号情報と、プログラムの起動可否と、が関連付けられた第二のプログラム起動可否データベースをさらに備え、前記事業形態及び前記プログラムＩＤに加えて前記事業者ＩＤを検索し、前記第一のプログラム起動可否データベースにおいて検索された前記プログラムの起動可否が再検索を示すものである場合に、検索された前記事業者ＩＤ、及び、前記発呼信号に含まれるダイヤル番号情報に基づいて前記第二のプログラム起動可否データベースを参照することによって、前記事業者ＩＤ及び前記ダイヤル番号情報に対応するプログラムの起動可否を検索する構成であってもよい。
【００１４】
かかる構成によると、他社網発信かつ自網着信の場合において、ゲートウェイ装置は、さらに発呼信号に含まれるダイヤル番号情報に基づいてプログラムを選択して起動し、起動されたプログラムによって発呼信号に必要なパラメータの設定を行うので、通信事業者ごとにインタフェースを開発することを回避することが可能となる。
【００１５】
また、本発明は、複数の電話端末と、当該複数の電話端末と通信可能に接続されたＩＰ変換装置と、前記ＩＰ変換装置と通信可能に接続された加入者サーバと、前記加入者サーバと他社の通信網とを通信可能に接続するゲートウェイ装置と、を備えるＩＰ電話網における加入者サーバによる通信方法であって、前記加入者サーバは、前記電話端末から発信された発呼信号に必要なパラメータの設定を行うプログラムがダイヤル番号情報の種類ごとに記憶されるプログラム記憶部と、前記発呼信号に含まれるダイヤル番号情報と、当該ダイヤル番号情報に対応する前記プログラムのプログラムＩＤと、が関連付けて記憶されたダイヤル番号データベースと、を備えており、前記加入者サーバが、前記電話端末から発信された発呼信号を前記ＩＰ変換装置を介して取得し、取得された前記発呼信号に含まれるダイヤル番号情報を抽出するステップと、前記加入者サーバが、抽出された前記ダイヤル番号情報に基づいて前記ダイヤル番号データベースを参照することによって、抽出された前記ダイヤル番号情報に対応するプログラムＩＤを検索するステップと、前記加入者サーバが、検索された前記プログラムＩＤに対応する前記プログラムを起動するステップと、前記加入者サーバが、起動された前記プログラムによって、前記発呼信号に必要なパラメータの設定を行い、パラメータの設定が行われた前記発呼信号を前記ゲートウェイ装置へ送信するステップと、を含むことを特徴とする。
【００１６】
また、本発明は、複数の電話端末と、当該複数の電話端末と通信可能に接続されたＩＰ変換装置と、前記ＩＰ変換装置と通信可能に接続された加入者サーバと、前記加入者サーバと他社の通信網とを通信可能に接続するゲートウェイ装置と、を備えるＩＰ電話網におけるゲートウェイ装置による通信方法であって、前記ゲートウェイ装置は、前記電話端末から送信された発呼信号に必要なパラメータの設定を行うプログラムがダイヤル番号情報の種類ごとに記憶されるプログラム記憶部と、前記発呼信号に含まれるダイヤル番号情報と、当該ダイヤル番号情報に対応する前記プログラムのプログラムＩＤと、が関連付けて記憶されたダイヤル番号データベースと、を備え、前記ゲートウェイ装置が、前記電話端末から送信された前記発呼信号を取得し、取得された前記発呼信号に含まれるダイヤル番号情報を抽出するステップと、前記ゲートウェイ装置が、抽出された前記ダイヤル番号情報に基づいて前記ダイヤル番号データベースを参照することによって、抽出された前記ダイヤル番号情報に対応するプログラムＩＤを検索するステップと、前記ゲートウェイ装置が、検索された前記プログラムＩＤに対応する前記プログラムを起動するステップと、前記ゲートウェイ装置が、起動された前記プログラムによって、前記発呼信号に必要なパラメータの設定を行い、パラメータの設定が行われた前記発呼信号を前記他社の通信網へ送信するステップと、を含むことを特徴とする。
【００１７】
また、本発明は、複数の電話端末と、当該複数の電話端末と通信可能に接続されたＩＰ変換装置と、前記ＩＰ変換装置と通信可能に接続された加入者サーバと、前記加入者サーバと他社の通信網とを通信可能に接続するゲートウェイ装置と、を備えるＩＰ電話網におけるゲートウェイ装置による通信方法であって、前記ゲートウェイ装置は、前記加入者サーバから送信された前記発呼信号に必要なパラメータの設定を行うプログラムがダイヤル番号情報の種類ごとに記憶されるプログラム記憶部と、前記他社の通信網の通信網ＩＤと、事業形態と、前記プログラムのプログラムＩＤと、が関連付けて記憶された事業形態データベースと、前記事業形態と、ダイヤル番号情報と、プログラムの起動可否と、が関連付けて記憶された第一のプログラム起動可否データベースと、を備え、前記ゲートウェイ装置が、前記他社の通信網から送信された発呼信号を取得し、前記発呼信号の取得によって通信網ＩＤを特定する第一ステップと、前記ゲートウェイ装置が、特定された前記通信網ＩＤに基づいて前記事業形態データベースを参照することによって、特定された前記通信網ＩＤに対応する事業者ＩＤ及びプログラムＩＤを検索する第二ステップと、前記ゲートウェイ装置が、検索された前記事業形態、及び、前記発呼信号に含まれるダイヤル番号情報に基づいて前記第一のプログラム起動可否データベースを参照することによって、前記事業形態及び前記ダイヤル番号情報に対応するプログラムの起動可否を検索する第三ステップと、前記ゲートウェイ装置が、検索された前記プログラムの起動可否が起動可を示すものである場合に、検索された前記プログラムＩＤに対応する前記プログラムを起動する第四ステップと、前記ゲートウェイ装置が、起動された前記プログラムによって、前記発呼信号に必要なパラメータの設定を行い、パラメータの設定が行われた前記発呼信号を前記加入者サーバへ送信する第五ステップと、を含むことを特徴とする。
【００１８】
前記事業形態データベースには、さらに事業者ＩＤが前記通信網ＩＤと関連付けて記憶されており、前記ゲートウェイ装置は、前記事業形態ごとに、前記事業者ＩＤと、ダイヤル番号情報と、プログラムの起動可否と、が関連付けられた第二のプログラム起動可否データベースをさらに備え、前記第二ステップにおいて、前記ゲートウェイ装置が、前記事業形態及び前記プログラムＩＤに加えて前記事業者ＩＤを検索し、前記第三ステップと前記第四ステップとの間に、前記第一のプログラム起動可否データベースにおいて検索された前記プログラムの起動可否が再検索を示すものである場合に、前記ゲートウェイ装置が、検索された前記事業者ＩＤ、及び、前記発呼信号に含まれるダイヤル番号情報に基づいて前記第二のプログラム起動可否データベースを参照することによって、前記事業者ＩＤ及び前記ダイヤル番号情報に対応するプログラムの起動可否を検索するステップを含む構成であってもよい。
【発明の効果】
【００１９】
本発明によれば、ＩＰ電話網において相互接続される通信事業者ごとにインタフェースを開発することを回避し、低コストかつ効率的な多数事業者の通信網と相互接続することができる。
【図面の簡単な説明】
【００２０】
【図１】本発明の実施形態に係るＩＰ電話網を模式的に示す図である。
【図２】図１の加入者サーバを示すブロック図である。
【図３】図２のダイヤル番号ＤＢを示す図である。
【図４】図１のゲートウェイ装置（ＰＳＴＮ−ＧＷ又はＩＰ−ＧＷ）を示すブロック図である。
【図５】図４の事業形態ＤＢを示す図である。
【図６】図４の第一のプログラム起動可否ＤＢを示す図である。
【図７】図４の第二のプログラム起動可否ＤＢを示す図である。
【図８】本発明の実施形態に係るＩＰ電話網の動作例を説明するための図である。
【図９】本発明の実施形態に係るＩＰ電話網の動作例を説明するための図である。
【図１０】本発明の実施形態に係るＩＰ電話網の動作例を説明するための図である。
【発明を実施するための形態】
【００２１】
以下、本発明の実施形態について、適宜図面を参照しながら説明する。同様の部分には同一符号を付し、重複する説明を省略する。まず、本発明の実施形態に係るＩＰ（Internet Protocol）電話網における通信システム（以下、単に「ＩＰ電話網」と記載する）の構成について、図１から図７を参照して説明する。
【００２２】
＜ＩＰ電話網＞
図１に示すように、本発明の実施形態に係るＩＰ電話網１は、他事業者ＰＳＴＮ（Public Switched Telephone Network）網２Ａ及び他事業者ＩＰ網２Ｂと通信可能に接続された通信システムであり、複数の電話端末１０，１０と、各電話端末１０，１０と通信可能に接続されたＩＰ変換装置２０と、ＩＰ変換装置２０と通信可能に接続された加入者サーバ３０と、加入者サーバ３０と通信可能に接続された中継サーバ４０と、中継サーバ４０と通信可能に接続されたＰＳＴＮ−ＧＷ（Public Switched Telephone Network - Gate Way）５０Ａ及びＩＰ−ＧＷ（Internet Protocol - Gate Way）５０Ｂと、を備える。
【００２３】
かかるＩＰ電話網１は、他事業者の通信網（他事業者ＰＳＴＮ網２Ａ又は他事業者ＩＰ網２Ｂ）と通信するために、料金決定権（呼の料金を決定する通信事業者）、ユーザ課金回収及び接続形態により分類される４種のインタフェースに関するプログラムを備え、発呼信号に含まれるダイヤル番号情報に応じて４つのプログラムを使い分ける。
【００２４】
第一のプログラムは、自網（ＩＰ電話網１）と地域系事業者の通信網とを接続するためのものであり、料金決定権及びユーザ課金回収は自網の通信事業者に設定される。
【００２５】
第二のプログラムは、自網と中継系事業者の通信網とを接続するためのものであり、料金決定権及びユーザ課金回収は中継系事業者に設定される。
【００２６】
第三のプログラムは、自網と外国の通信網とを接続するためのものであり、一般電話発信の場合には、料金決定権及びユーザ課金回収は国際事業者に設定され、公衆電話発信の場合には、料金決定権は国際事業者に設定されるとともにユーザ課金回収は自網の事業者に設定される。
【００２７】
第四のプログラムは、自網と移動体電話とを接続するためのものであり、料金決定権は移動体電話の事業者に設定されるとともにユーザ課金回収は自網の事業者に設定される。
【００２８】
≪電話端末≫
電話端末１０は、事業所等に設置される据置型の電話機等であり、着呼音等を発するためのスピーカ、受話器が架けられるフック、及び電話番号等を入力するためのボタンを有する本体部と、通話用のマイク及びスピーカを有する受話器と、を備える。電話端末１０は、ユーザの操作に応じて、通話先の電話端末の電話番号等からなるダイヤル番号情報を含む発呼信号（呼制御信号の一種）を生成してＩＰ変換装置２０へ発信する。
【００２９】
≪ＩＰ変換装置≫
ＩＰ変換装置２０は、電話端末１０及び加入者サーバ３０と通信可能に接続されており、アナログ端末又はＩＳＤＮ端末である電話端末１０から送信された呼制御信号、音声信号等をＩＰパケット化し、ＩＰパケット化済み信号を通話先の電話端末に接続されたＩＰ変換装置へ送信したり、通話先の電話端末に接続されたＩＰ変換装置から送信されたＩＰパケット化済み信号を受信し、受信されたＩＰパケット化済み信号を復号して電話端末１０へ送信したりする装置であり、電話端末１０のユーザ宅内又は通信事業者の局舎内に設置される。なお、ＩＰパケット化された呼制御信号（例えば、発呼信号）は、加入者サーバ、中継サーバ３０及びゲートウェイ装置５０（ＰＳＴＮ−ＧＷ５０Ａ又はＩＰＧＷ−５０Ｂ）を介して他事業者通信網２Ａ，２Ｂにおける通話先の電話端末が収容されたＩＰ変換装置へ送信される。
【００３０】
≪加入者サーバ≫
加入者サーバ３０は、ＩＰ変換装置２０及び中継サーバ４０と通信可能に接続されており、配下に収容する全ての電話端末１０のサービス契約情報の管理及び呼状態の管理を行うとともに、配下の電話端末１０から送信された発呼信号の送信先（他事業者ＰＳＴＮ網２Ａ又は他事業者ＩＰ網２Ｂ）を決定したり、配下の一の電話端末１０から配下の他の電話端末１０へ向けて送信された発呼信号、応答信号等（呼制御信号）を当該他の電話端末１０へ転送するためのルーティング処理を行う等といった呼制御を行うサーバである。かかる加入者サーバ３０は、予め記憶されたプログラムによって、発呼信号に対して、加入者サーバ３０しか知り得ない情報（端末種別情報等）を設定するとともに、後記するＰＳＴＮ−ＧＷ５０Ａ及びＩＰ−ＧＷ５０Ｂのチェック機能の保険的意味合いで、他事業者通信網２Ａ，２Ｂから受信した発呼信号等の呼制御信号が、他事業者通信網２Ａ，２Ｂとの間で合意された条件を満たしているか否かをチェックする。
【００３１】
図２に示すように、加入者サーバ３０は、機能部として、ダイヤル番号ＤＢ３１と、プログラム選択部３２と、設定部３３と、を備える。
【００３２】
ダイヤル番号ＤＢ３１は、発呼信号に含まれるダイヤル番号情報と、プログラムＩＤと、が関連付けて記憶されたデータベースである。図３に示すように、ダイヤル番号情報が０Ａ〜Ｊ（０で始まる１０桁の数字）である場合には、プログラムＩＤが「１」である第一のプログラムが選択される。
【００３３】
また、ダイヤル番号情報が００ＸＹ＋０Ａ〜Ｊ（００で始まる４桁の数字＋０で始まる１０桁の数字）である場合には、プログラムＩＤが「２」である第二のプログラムが選択される。ここで、００ＸＹは、中継事業者に付与されたプレフィクス番号である。
【００３４】
また、ダイヤル番号情報が０１０＋国番号＋ダイヤル番号である場合には、プログラムＩＤが「３」である第三のプログラムが選択される。ここで、０１０は、通話先が外国（国際電話）であることを示すプレフィクス番号である。
【００３５】
また、ダイヤル番号情報が０Ａ０Ｃ〜Ｋ（０Ａ０で始まる１１桁の数字）である場合には、プログラムＩＤが「４」である第四のプログラムが選択される。
【００３６】
プログラム選択部３２は、電話端末１０から発信された発呼信号をＩＰ変換装置２０を介して取得し、取得された発呼信号に含まれるダイヤル番号情報を抽出し、抽出されたダイヤル番号情報に基づいてダイヤル番号ＤＢ３１を参照することによって、抽出されたダイヤル番号情報に対応するプログラムＩＤを検索し、検索された前記プログラムＩＤに対応するプログラムを起動するための起動信号を設定部３３へ出力するとともに、発呼信号を設定部３３へ出力する。
【００３７】
設定部３３は、ダイヤル番号情報の種類ごとのプログラム（本実施形態では、４個）が記憶された記憶部３３ａを備えており、プログラム選択部３２から出力された起動信号及び発呼信号を取得し、取得された起動信号に基づいて、当該起動信号に応じたプログラムを起動し、起動されたプログラムによって、発呼信号に予め設定されたパラメータのチェックを行うとともに、発呼信号に必要なパラメータの設定を行い、パラメータの設定が行われた発呼信号を中継サーバ４０へ送信する。
【００３８】
≪中継サーバ≫
図１に戻り、中継サーバ４０は、加入者サーバ３０、ＰＳＴＮ−ＧＷ５０Ａ及びＩＰ−ＧＷ５０Ｂと通信可能に接続されており、ＩＰ電話網１内の他装置から受信した発呼信号、応答信号等を転送するためのルーティング処理を行う等といった呼制御信号の中継を行うサーバである。
【００３９】
≪ＰＳＴＮ−ＧＷ≫
ＰＳＴＮ−ＧＷ５０Ａは、中継サーバ４０を介して加入者サーバ３０と他事業者ＰＳＴＮ網２Ａとを通信可能に接続するゲートウェイ装置である。
ＰＳＴＮ−ＧＷ５０Ａは、ＩＰ電話網１内の呼制御信号を、他事業者ＰＳＴＮ網２Ａとの間で予め合意された条件の信号に変換し、変換された信号を他事業者ＰＳＴＮ網２Ａへ送信したり、他事業者ＰＳＴＮ網２Ａから送信された呼制御信号を取得し、取得された呼制御信号を、ＩＰ電話網１の条件の信号に変換し、変換された信号を中継サーバ４０へ送信したりする。
【００４０】
≪ＩＰ−ＧＷ≫
ＩＰ−ＧＷ５０Ｂは、中継サーバ４０を介して加入者サーバ３０と他事業者ＩＰ網２Ｂとを通信可能に接続するゲートウェイ装置である。
ＩＰ−ＧＷ５０Ｂは、ＩＰ電話網１内の呼制御信号を、他事業者ＩＰ網２Ｂとの間で予め合意された条件の信号に変換し、変換された信号を他事業者ＩＰ網２Ｂへ送信したり、他事業者ＩＰ網２Ｂから送信された呼制御信号を取得し、取得された呼制御信号を、ＩＰ電話網１の条件の信号に変換し、変換された信号を中継サーバ４０へ送信したりする。
【００４１】
前記したＰＳＴＮ−ＧＷ５０Ａ及びＩＰ−ＧＷ５０Ｂは、予め記憶されたプログラムによって、発呼信号等の呼制御信号を他事業者通信網２Ａ，２Ｂとの間で合意された条件で設定するとともに、他事業者通信網２Ａ，２Ｂから受信した発呼信号等の呼制御信号が、他事業者通信網２Ａ，２Ｂとの間で合意された条件を満たしているか否かをチェックする。これらＰＳＴＮ−ＧＷ５０Ａ及びＩＰ−ＧＷ５０Ｂは、信号送信のプロトコルに違いはあるが、機能としては同等であるため、以下、ゲートウェイ装置５０としてまとめて説明する。
【００４２】
図４に示すように、ゲートウェイ装置５０（ＰＳＴＮ−ＧＷ５０Ａ、ＩＰ−ＧＷ５０Ｂ）は、機能部として、ダイヤル番号ＤＢ５１と、プログラム選択部５２と、設定部５３と、事業形態ＤＢ５４と、第一のプログラム起動可否ＤＢ５５と、第二のプログラム起動可否ＤＢ５６と、を備える。
【００４３】
ダイヤル番号ＤＢ５１は、前記したダイヤル番号ＤＢ３１と同様、発呼信号に含まれるダイヤル番号情報と、プログラムＩＤと、が関連付けて記憶されたデータベースである。
【００４４】
プログラム選択部５２は、前記したプログラム選択部３２と同様、加入者サーバ３０から送信された発呼信号を中継サーバ４０を介して取得し、取得された発呼信号に含まれるダイヤル番号情報を抽出し、抽出されたダイヤル番号情報に基づいてダイヤル番号ＤＢ５１を参照することによって、抽出されたダイヤル番号情報に対応するプログラムＩＤを検索し、検索された前記プログラムＩＤに対応するプログラムを起動するための起動信号を設定部５３へ出力するとともに、発呼信号を設定部５３へ出力する。
【００４５】
設定部５３は、前記した設定部３３と同様、ダイヤル番号情報の種類ごとのプログラム（本実施形態では、４個）が記憶されたプログラム記憶部５３ａを備えており、プログラム選択部５２から出力された起動信号及び発呼信号を取得し、取得された起動信号に基づいて、当該起動信号に応じたプログラムを起動し、起動されたプログラムによって、発呼信号に予め設定されたパラメータのチェックを行うとともに、発呼信号に必要なパラメータの設定を行い、パラメータの設定が行われた発呼信号を他事業者の通信網（他事業者ＰＳＴＮ網２Ａ又は他事業者ＩＰ網２Ｂ）又は中継サーバ４０へ送信する。
【００４６】
事業形態ＤＢ５４は、図５に示すように、通信網ＩＤの一例である回線群情報と、事業者ＩＤと、プログラムＩＤと、事業形態と、が関連付けて記憶されたデータベースである。本実施形態において、事業者の事業形態としては、地域系事業（図５の「ａ」）、中継事業（図５の「ｂ」）、国際事業、移動体電話電話事業の４つが挙げられる。なお、回線群情報は、通信網がＰＳＴＮ網である場合の通信網ＩＤであり、ゲートウェイ装置５０は、事業者ごとに異なる回線群によって他事業者通信網２Ａ，２Ｂと通信可能に接続されている。ゲートウェイ装置５０は、回線群を介して発呼信号を受信することによって、発呼信号が伝送された回線群に固有の回線群情報を特定することができる。なお、通信網がＩＰ網である場合には、発呼信号の送信元のＩＰアドレス等といった発側の事業者を特定することが可能な情報を通信網ＩＤとして利用可能である。
【００４７】
第一のプログラム起動可否ＤＢ５５は、図６に示すように、事業形態と、ダイヤル番号情報と、プログラムの起動可否と、が関連付けて記憶されたデータベースである。ここで、「○」は、プログラムの起動可否が起動可であることを示し、「△」は、プログラムの起動可否が第二のプログラム起動可否ＤＢ５６を参照して決定されること（再検索）を示し、図６には記載されていないが、「×」は、プログラムの起動可否が起動不可であることを示す。かかる第一のプログラム起動可否ＤＢ５５は、他事業者通信網２Ａ，２Ｂの事業者の事業形態によって着信を非許容とする着番号（発呼信号に含まれるダイヤル番号情報）が想定されることを鑑みて、着番号及び事業形態ごとに着信の許容・非許容を判定するためのデータベースである。例としては、国際電話において着番号がフリーダイヤルの場合（国番号の後に０１２０が含まれる）には着信を非許容とすることが挙げられる。
【００４８】
第二のプログラム起動可否ＤＢ５６は、図７に示すように、事業形態ごとに、事業者ＩＤと、ダイヤル番号情報と、プログラムの起動可否と、が関連付けて記憶されたデータベースである（図７には、事業形態が「ａ」の分のみを図示）。ここで、「○」は、プログラムの起動可否が起動可であることを示し、「×」は、プログラムの起動可否が起動不可であることを示す。かかる第二のプログラム起動可否ＤＢ５６は、事業者によって着信を非許容とする着番号が想定されることを鑑みて、着番号及び事業者ごとに着信の許容・非許容を判定するためのデータベースである。例としては、着番号が１０４（番号案内）の場合には、事業者ごとに着信を許容するか否かが決められている。
【００４９】
プログラム選択部５２は、他事業者ＰＳＴＮ網２Ａ又は他事業者ＩＰ網２Ｂから送信された発呼信号を取得した場合には、前記したＤＢ５４〜５６を参照することによって起動すべきプログラムを選択する（詳しい動作例については後記する）。
【００５０】
＜動作例＞
続いて、本発明の実施形態に係るＩＰ電話網１の動作例について、自網発信の場合、他網発信かつ自網着信の場合、の順に説明する。
【００５１】
≪自網発信≫
まず、自網発信の場合における加入者サーバ３０の動作例について、図８を参照して説明する（適宜図１参照）。ユーザが電話端末１０を操作すると、電話端末１０は、発呼信号をＩＰ変換装置２０を介して加入者サーバ３０へ発信する。続いて、加入者サーバ３０のプログラム選択部３２は、電話端末１０から発信されてＩＰ変換装置２０によってパケット化されたＳＩＰ（Session Initiation Protocol）信号としての発呼信号を取得し（ステップＳ１１）、発呼信号に含まれるダイヤル番号情報を抽出する（ステップＳ１２）。
【００５２】
続いて、プログラム選択部３２は、抽出されたダイヤル番号情報に基づいてダイヤル番号ＤＢ３１を参照することによって、抽出されたダイヤル番号情報に対応するプログラムＩＤを検索する。詳細には、プログラム選択部３２は、抽出されたダイヤル番号情報をキーとしてダイヤル番号ＤＢ３１へ問い合わせ信号を出力し（ステップＳ１３）、問い合わせ信号に含まれるダイヤル番号情報をキーとしてＤＢ内を検索し（ステップＳ１４）、ダイヤル番号情報に対応するプログラムＩＤを検索結果として取得する（ステップＳ１５）。
【００５３】
続いて、プログラム選択部３２は、ステップＳ１１において発信された発呼信号、及び、取得されたプログラムＩＤに対応するプログラムを起動するための起動信号を設定部３３へ出力する（ステップＳ１６）。
【００５４】
設定部３３は、プログラム選択部３２から出力された発呼信号及び起動信号を取得し、取得された起動信号によって当該起動信号に対応するプログラムを起動する。
続いて、設定部３３は、起動されたプログラムによって、発呼信号に予め設定されたパラメータをチェックする（ステップＳ１７）。
予め設定されたパラメータが必要条件を満たしている場合には、設定部３３は、起動されたプログラムによって、発呼信号に必要なパラメータの設定を行い（ステップＳ１８）、パラメータの設定が行われた発呼信号を中継サーバ４０を介してゲートウェイ装置５０（ＰＳＴＮ−ＧＷ５０Ａ又はＩＰ−ＧＷ５０Ｂ）へ送信する（ステップＳ１９）。
【００５５】
なお、ステップＳ１７においてパラメータが必要条件を満たしていないと判定された場合には、設定部３３は、パラメータの設定を行わず、発呼信号に係る呼の切断処理等を行う。パラメータが必要条件を満たしていないと判定される場合としては、料金決定権の無い事業者による課金指示、非課金指示、課金レート情報が発呼信号のパラメータとして設定されていたり、料金決定権のある事業者による課金レート情報が発呼信号のパラメータとして設定されていない場合等が挙げられる。
【００５６】
ステップＳ１８におけるパラメータの設定としては、電話端末１０の種別に関する情報（端末種別情報）の設定、発番号非通知呼（発呼信号のダイヤル番号情報の先頭に１８４がある場合）における発番号非通知の設定等が挙げられる。
【００５７】
次に、自網発信の場合におけるゲートウェイ装置５０の動作例について、図９を参照して説明する（適宜図１参照）。ゲートウェイ装置５０のプログラム選択部５２は、前記したステップＳ１９において加入者サーバ３０の設定部３３から送信された発呼信号を取得し（ステップＳ２１）、発呼信号に含まれるダイヤル番号情報を抽出する（ステップＳ２２）。
【００５８】
続いて、プログラム選択部５２は、抽出されたダイヤル番号情報に基づいてダイヤル番号ＤＢ５１を参照することによって、抽出されたダイヤル番号情報に対応するプログラムＩＤを検索する。詳細には、プログラム選択部５２は、抽出されたダイヤル番号情報をキーとしてダイヤル番号ＤＢ５１へ問い合わせ信号を出力し（ステップＳ２３）、問い合わせ信号に含まれるダイヤル番号情報をキーとしてＤＢ内を検索し（ステップＳ２４）、ダイヤル番号情報に対応するプログラムＩＤを検索結果として取得する（ステップＳ２５）。
【００５９】
続いて、プログラム選択部５２は、ステップＳ２１において発信された発呼信号、及び、取得されたプログラムＩＤに対応するプログラムを起動するための起動信号を設定部５３へ出力する（ステップＳ２６）。
【００６０】
設定部５３は、プログラム選択部５２から出力された発呼信号及び起動信号を取得し、取得された起動信号によって当該起動信号に対応するプログラムを起動する。
続いて、設定部５３は、起動されたプログラムによって、発呼信号に予め設定されたパラメータをチェックする（ステップＳ２７）。
予め設定されたパラメータが必要条件を満たしている場合には、設定部５３は、起動されたプログラムによって、発呼信号に必要なパラメータの設定を行い（ステップＳ２８）、パラメータの設定が行われた発呼信号を他事業者ＰＳＴＮ網２Ａ又は他事業者ＩＰ網２Ｂへ送信する（ステップＳ２９）。
【００６１】
なお、ステップＳ２７においてパラメータが必要条件を満たしていないと判定された場合には、設定部５３は、パラメータの設定を行わず、発呼信号に係る呼の切断処理等を行う。パラメータが必要条件を満たしていないと判定される場合としては、料金決定権の無い事業者による課金指示、非課金指示、課金レート情報が発呼信号のパラメータとして設定されていたり、料金決定権のある事業者による課金レート情報が発呼信号のパラメータとして設定されていない場合等が挙げられる。
【００６２】
ステップＳ２８におけるパラメータの設定としては、ＰＳＴＮ−ＧＷ５０Ａの場合には、ＩＰ電話網１の発呼信号（信号形式は、一般的にはＳＩＰ（Session Initiation Protocol））を他事業者ＰＳＴＮ網２Ａの信号形式（一般的にはＩＳＵＰ（ISDN User Part））に設定する（変換する）ことが挙げられる。また、ＩＰ−ＧＷ５０Ｂの場合には、ＩＰ電話網１の事業者に関する事業者ＩＤの設定等が挙げられる。
【００６３】
≪他網発信かつ自網着信≫
続いて、他網発信かつ自網着信の場合におけるゲートウェイ装置５０の動作例について、図１０を参照して説明する（適宜図１参照）。ゲートウェイ装置５０のプログラム選択部５２は、他事業者の通信網（他事業者ＰＳＴＮ網２Ａ又は他事業者ＩＰ網２Ｂ）から送信された発呼信号を取得し（ステップＳ３１）、発呼信号の取得によって通信網ＩＤを特定する（ステップＳ３２）。
【００６４】
続いて、プログラム選択部５２は、特定された回線群情報に基づいて事業形態ＤＢ５４を参照することによって、特定された回線群情報に対応する事業者ＩＤ、事業者形態及びプログラムＩＤを検索する。詳細には、プログラム選択部５２は、特定された回線群情報をキーとして事業形態ＤＢ５４へ問い合わせ信号を出力し（ステップＳ３３）、問い合わせ信号に含まれる回線群情報をキーとしてＤＢ内を検索し（ステップＳ３４）、回線群情報に対応する事業者ＩＤ、事業者形態及びプログラムＩＤを検索結果として取得する（ステップＳ３５）。
【００６５】
続いて、プログラム選択部５２は、発呼信号に含まれるダイヤル番号情報を抽出し、抽出されたダイヤル番号情報、及び、取得された事業形態に基づいて第一のプログラム起動可否ＤＢ５５を参照することによって、プログラムの起動可否を検索する。詳細には、プログラム選択部５２は、抽出されたダイヤル番号情報、及び、取得された事業形態をキーとして第一のプログラム起動可否ＤＢ５５へ問い合わせ信号を出力し（ステップＳ３６）、問い合わせ信号に含まれるダイヤル番号情報及び事業形態をキーとしてＤＢ内を検索し（ステップＳ３７）、ダイヤル番号情報及び事業形態に対応するプログラム起動可否を検索結果として取得する（ステップＳ３８）。
【００６６】
続いて、ステップＳ３８において検索されたプログラム起動可否が「△」である場合には、プログラム選択部５２は、ダイヤル番号、事業者ＩＤ及び事業形態に基づいて第二のプログラム起動可否ＤＢ５６を参照することによって、プログラムの起動可否をさらに検索する。詳細には、プログラム選択部５２は、ダイヤル番号、事業者ＩＤ及び事業形態をキーとして第二のプログラム起動可否ＤＢ５６へ問い合わせ信号を出力し（ステップＳ３９）、問い合わせ信号に含まれるダイヤル番号、事業者ＩＤ及び事業形態をキーとしてＤＢ内を検索し（ステップＳ４０）、ダイヤル番号、事業者ＩＤ及び事業形態に対応するプログラム起動可否を検索結果として取得する（ステップＳ４１）。
【００６７】
続いて、ステップＳ３７において検索されたプログラム起動可否が「○」である場合、又は、ステップＳ４０において検索されたプログラム起動可否が「○」である場合には、プログラム選択部５２は、ステップＳ３１において送信された発呼信号、及び、ステップＳ３４において検索されたプログラムＩＤに対応するプログラムを起動するための起動信号を設定部５３へ出力する（ステップＳ４２）。
【００６８】
なお、ステップＳ３７において検索されたプログラム起動可否が「×」である場合、又は、ステップＳ４０において検索されたプログラム起動可否が「×」である場合には、プログラム選択部５２は、プログラムの起動信号を出力せず、発呼信号に係る呼の切断処理等を行う。
【００６９】
設定部５３は、プログラム選択部５２から出力された発呼信号及び起動信号を取得し、取得された起動信号によって当該起動信号に対応するプログラムを起動する。
続いて、設定部５３は、起動されたプログラムによって、発呼信号に予め設定されたパラメータをチェックする（ステップＳ４３）。
予め設定されたパラメータが必要条件を満たしている場合には、設定部５３は、起動されたプログラムによって、発呼信号に必要なパラメータの設定を行い（ステップＳ４４）、パラメータの設定が行われた発呼信号を中継サーバ４０及び加入者サーバ３０を介してＩＰ変換装置２０へ送信する（ステップＳ４５）。
【００７０】
なお、ステップＳ４３においてパラメータが必要条件を満たしていないと判定された場合には、設定部５３は、パラメータの設定を行わず、発呼信号に係る呼の切断処理等を行う。パラメータが必要条件を満たしていないと判定される場合としては、料金決定権の無い事業者による課金指示、非課金指示、課金レート情報が発呼信号のパラメータとして設定されていたり、料金決定権のある事業者による課金レート情報が発呼信号のパラメータとして設定されていない場合等が挙げられる。
【００７１】
本発明の実施形態に係るＩＰ電話網１は、相互接続される通信事業者ごとにインタフェースを開発することを回避し、低コストかつ効率的な多数事業者の通信網と相互接続することができる。
【００７２】
以上、本発明の実施形態について説明したが、本発明は前記実施形態に限定されず、本発明の要旨を逸脱しない範囲で適宜設計変更可能である。例えば、プログラムの種類は４つに限定されず、３つ以下又は５つ以上であってもよい。
【符号の説明】
【００７３】
１      ＩＰ電話網
１０    電話端末
２０    ＩＰ変換装置
３０    加入者サーバ
４０    中継サーバ
５０Ａ  ＰＳＴＮ−ＧＷ（ゲートウェイ装置）
５０Ｂ  ＩＰ−ＧＷ（ゲートウェイ装置）
【図１】
2011254244.tif 000003
【図２】
2011254244.tif 000004
【図３】
2011254244.tif 000005
【図４】
2011254244.tif 000006
【図５】
2011254244.tif 000007
【図６】
2011254244.tif 000008
【図７】
2011254244.tif 000009
【図８】
2011254244.tif 000010
【図９】
2011254244.tif 000011
【図１０】
2011254244.tif 000012